(57)【特許請求の範囲】
【請求項１】
熱湯を注いで調理するカップラーメン用などの、紙材料層と遮光層と強度とガスバリヤー性に優れた樹脂フィルム層とイージーピール層とを積層して成る、つまみ付のイージーピール蓋材において、蓋材の中央部分の紙材料層に、開蓋方向に直交する剥離部分を、２列の切れ目線で区画すると共に、前記剥離部分の紙材料層の内面側に炭化水素（パラフィン）系、高級脂肪酸系又は有機シリコン系の接着阻害剤からなる剥離層を設けたことを特徴とするイージーピール蓋材。
【請求項２】
請求項１記載のイージーピール蓋材を、カップ容器のフランジに熱融着してなることを特徴とするカップ容器。
【発明の詳細な説明】
【０００１】
【発明の属する技術分野】
本発明は、熱湯を注いで調理するカップラーメン用などの、アルミニウム箔を積層していない、開蓋が容易であって、熱湯から発生する蒸気の影響を受けないイージーピール(Easy Peel;皮を剥がし易い)蓋材に関する。
【０００２】
【従来の技術】
従来から、熱湯を注いで調理するカップラーメン用などの、廃棄時の処理、処分や食品類の金属探知などの理由でアルミニウム箔を積層していない、図１Ａ,Ｂ,Ｃに示すような、表面側に美麗な印刷をした紙材料層４と、カーボンブラック、チタンホワイトなどをコーティングした遮光層５と、ポリエステル(PET)、延伸ナイロン(0-NY)、セラミック蒸着付の延伸ポリプロピレン(0-PP)などの、強度とガスバリヤー性とが優れた樹脂フィルム層５と、エチレン-メタアクリル酸共重合体(EMAA)、エチレン-酢酸ビニル共重合体(EVA)、エチレン-ポリブテンブレンド樹脂、通常のホットメルトなどの、熱融着した後に剥がすことができるイージーピール層６とを、図示していない接着剤層を介するなどして適宜に積層して成る、つまみ２１付のイージーピール蓋材が、図２に示すように、発泡スチロール製などのカップ容器３０に被せて熱融着して、一般に用いられている。
【０００３】
【発明が解決しようとする課題】
ところが従来の、アルミニウム箔を積層していない、紙材料層４と遮光層５と樹脂フィルム層６とイージーピール層７とを積層して成る、カップ容器３０に被せて熱融着したつまみ２１付のイージーピール蓋材については、蓋材２０のつまみ２１に指を掛けて、やゝ強く引張るだけで簡単にカップ容器３０を開蓋することができる、開蓋が容易なイージーピール蓋材であるものの、
蓋材２０の紙材料層４が、熱湯から発生する蒸気の影響を受け易いために、蓋材２０を中央部分まで剥がして外側に折曲げて、カップ容器３０を途中まで開蓋して熱湯を注ぐ時に、折曲げた蓋材２０の中央部分が、スチームアイロンを掛けたように延びることが多くて、カップ容器３０が閉蓋して熱湯を注ぎ難いなどの問題があって、また蓋材２０のつまみ部分２１をフランジ３１に繋止して、カップ容器３０を閉蓋して３〜５分間放置して調理する時に、一旦折曲げた蓋材２０の中央部分が、再び外側に折曲がることが多くて、カップ容器３０が開蓋して充分に調理することが難しいなどの問題があった。
【０００４】
なお、図示していない従来の、７μｍ程度のアルミニウム箔を積層したイージーピール蓋材については、アルミニウム箔に、与えられた形状を保持する性質(デットホールド性と言う)があるために、蓋材２０の紙材料層４が、熱湯から発生する蒸気の影響を受け難く、前述した熱湯を注ぎ難いなどの、また前述した充分に調理することが難しいなどの、問題は少なかった。
【０００５】
ところで、本発明の目的は、熱湯を注いで調理するカップラーメン用などの、アルミニウム箔を積層していない、従来と同様に開蓋が容易であって、熱湯を注ぐ時に、カップ容器３０が閉蓋して熱湯を注ぎ難いなどの問題がない、また３〜５分間放置して調理する時に、カップ容器３０が開蓋して充分に調理することが難しいなどの問題がない、熱湯から発生する蒸気の影響を受けないイージーピール蓋材を提供することにある。
【０００６】
【課題を解決するための手段】
本発明のイージーピール蓋材は、図１Ａ,Ｂ,Ｃに示すように、熱湯を注いで調理するカップラーメン用などの、紙材料層４と遮光層５と樹脂フィルム層６とイージーピール層７とを積層して成る、つまみ２１付のイージーピール蓋材において、蓋材２０の中央部分の紙材料層４に、開蓋方向(図１Ａ,Ｂ,Ｃでは左右方向、以下同じ)に直交する剥離部分２を、２列の切れ目線ａ,ａで区画して設けたことを特徴とするイージーピール蓋材である。
【０００７】
本発明のイージーピール蓋材においては、蓋材２０の中央部分の紙材料層４に、開蓋方向に直交する剥離部分２を、２列の切れ目線ａ,ａで区画して設けたことによって、この２列の切れ目線ａ,ａを切断して、熱湯から発生する蒸気の影響を受け易い紙材料層４の、開蓋方向に直交する剥離部分２を剥離して除去することができるために、
蓋材２０を中央の剥離部分２まで剥がして外側に折曲げて、カップ容器３０を途中まで開蓋して熱湯を注ぐ時に、折曲げた蓋材２０の剥離部分２を除去した部分の、残された遮光層５と樹脂フィルム層６とイージーピール層７とが、スチームアイロンを掛けたように延びることがなくて、カップ容器３０が閉蓋して熱湯を注ぎ難いなどの問題がない、また蓋材２０のつまみ部分２１をフランジ３１に繋止して、カップ容器３０を閉蓋して３〜５分間放置して調理する時に、一旦折曲げた蓋材２０の剥離部分２を除去した部分の、残された遮光層５と樹脂フィルム層６とイージーピール層７とが、再び外側に折曲がることがなくて、カップ容器３０が開蓋して充分に調理することが難しいなどの問題がない、熱湯から発生する蒸気の影響を受けないイージーピール蓋材を提供することができる。
【０００８】
加えて、本発明のイージーピール蓋材は、図１Ａ,Ｂに示すように、蓋材２０の中央部分の紙材料層４の、開蓋方向に直交する剥離部分２の内面側に、剥離層３を設けたことを特徴とするイージーピール蓋材である。
【０００９】
本発明のイージーピール蓋材においては、蓋材２０の中央部分の紙材料層４の、前述した開蓋方向に直交する剥離部分２の内面側に、剥離層３を設けたことによって、２列の切れ目線ａ,ａを切断して、熱湯から発生する蒸気の影響を受け易い紙材料層４の、開蓋方向に直交する剥離部分２を、より簡単に確実に剥離して除去することができるために、
前述した熱湯を注ぐ時に、折曲げた蓋材２０の剥離部分２を確実に除去した部分の、残された遮光層５と樹脂フィルム層６とイージーピール層７とが、スチームアイロンを掛けたように延びることがなくて、カップ容器３０が閉蓋して熱湯を注ぎ難いなどの問題がない、また前述した３〜５分間放置して調理する時に、一旦折曲げた蓋材２０の剥離部分２を確実に除去した部分の、残された遮光層５と樹脂フィルム層６とイージーピール層７とが、再び外側に折曲がることがなくて、カップ容器３０が開蓋して充分に調理することが難しいなどの問題がない、熱湯から発生する蒸気の影響をさらに受けないイージーピール蓋材を提供することができる。
【００１０】
【発明の実施の形態】
図１Ａ,Ｂは、本発明の実施の形態における、イージーピール蓋材の断面図であって、図１Ｃは、イージーピール蓋材の平面図である。
また図２は、本発明の実施の形態における、イージーピール蓋材を、カップ容器３０に被せて熱融着した状態を示す断面説明図である。
【００１１】
本実施の形態のイージーピール蓋材は、紙材料層４と遮光層５と樹脂フィルム層６とイージーピール層７とを積層して成る、つまみ２１付のイージーピール蓋材において、蓋材２０の中央部分の紙材料層４に、開蓋方向に直交する剥離部分２を、２列の切れ目線ａ,ａで区画して設けて、加えて蓋材２０の中央部分の紙材料層４の、この開蓋方向に直交する剥離部分２の内面側に、剥離層３を設けたイージーピール蓋材である。
【００１２】
本実施の形態のイージーピール蓋材における、紙材料層４と遮光層５と樹脂フィルム層６とイージーピール層７とを積層して成る、つまみ２１付のイージーピール蓋材については、前述した従来のイージーピール蓋材と同様であって、表面側に美麗な絵柄と耐水性ニスとを印刷した、５０ｇ/ｍ2程度の上質紙、片面アート紙などの紙材料層４と、この紙材料層４又は後述する樹脂フィルム層６に、１０μｍ程度のカーボンブラック、チタンホワイトなどをコーティングした遮光層５と、ポリエステル(PET)、延伸ナイロン(0-NY)、セラミック蒸着付の延伸ポリプロピレン(0-PP)などの、６０μｍ程度の強度とガスバリヤー性とが優れた樹脂フィルム層５と、２０μｍ程度のエチレン-メタアクリル酸共重合体(EMAA)、エチレン-酢酸ビニル共重合体(EVA)、エチレン-ポリブテンブレンド樹脂、通常のホットメルトなどの、後述するカップ容器３０のフランジ３１に熱融着した後に剥がすことができる、カップ容器３０の構成材料(発泡スチロール、紙＋ポリエチレン、ポリプロピレンなど)に適合したイージーピール層６とを、図１Ａに示すように、図示していない接着剤層を介するなどして、順に積層した後に、又は図１Ｂに示すように、同様に図示していない接着剤層を介するなどして、遮光層５と樹脂フィルム層６との順序を変えて積層した後に、周辺を打抜型などで適宜に切断して除去して、図１Ｃに示すつまみ２１付のイージーピール蓋材を、特に制約なく作製することができる。
【００１３】
本実施の形態のイージーピール蓋材における、蓋材２０の中央部分の紙材料層４に設けた、開蓋方向に直交する剥離部分２については、蓋材２０の中央部分の、表面側に美麗な絵柄と耐水性ニスとを印刷した紙材料層４に、図１Ｃに示す開蓋方向に直交する２列の、間隔が８ｍｍ程度のミシン目状の切れ目線ａ,ａを、打抜型を用いた打抜工程などで適宜に設けた後に、この紙材料層４と遮光層５と樹脂フィルム層６とイージーピール層７とを、図１Ａに示す順に積層することによって、又は図１Ｂに示す遮光層５と樹脂フィルム層６との順序を変えて積層することによって、蓋材２０の中央部分の紙材料層４に、開蓋方向に直交する剥離部分２を、２列の切れ目線ａ,ａで区画して設けることができる。
【００１４】
加えて、本実施の形態のイージーピール蓋材における、蓋材２０の中央部分の紙材料層４の、前述した開蓋方向に直交する剥離部分２の内面側に設けた、剥離層３については、前述した蓋材２０の中央部分の紙材料層４の、前述した開蓋方向に直交する剥離部分２に相当する内面側に、通常の炭化水素(パラフィン)系、高級脂肪酸系、有機シリコン系などの、紙材料層４の内面側と遮光層５又は樹脂フィルム層６との接着阻害剤３を、図示していない適宜の目止め剤を介するなどして印刷した後に、この紙材料層４に、図１Ｃに示す開蓋方向に直交する２列の切れ目線ａ,ａを設けることによって、蓋材２０の中央部分の紙材料層４の、開蓋方向に直交する剥離部分２の内面側に、剥離層３を設けることができる。
【００１５】
続いて、本実施の形態の、図１Ａ,Ｂ,Ｃに示すイージーピール蓋材を、図２に示すように、通常の発泡スチロール製や内面側にポリエチレンコートをしたカップ原紙製や成形ポリプロピレン製などの、熱湯を注いで調理するカップラーメン用のカップ容器３０に被せて、フランジ３１に熱融着したところ、蓋材２０のつまみ２１に指を掛けて、やゝ強く引張るだけで簡単にカップ容器３０を開蓋することができる、従来と同様に開蓋が容易なイージーピール蓋材を得ることができた。
【００１６】
本実施の形態のイージーピール蓋材においては、蓋材２０の中央部分の紙材料層４に、開蓋方向に直交する剥離部分２を、２列の切れ目線ａ,ａで区画して設けて、加えて蓋材２０の中央部分の紙材料層４の、この開蓋方向に直交する剥離部分２の内面側に、剥離層３を設けたことによって、２列の切れ目線ａ,ａを切断して、熱湯から発生する蒸気の影響を受け易い紙材料層４の、開蓋方向に直交する剥離部分２を確実に剥離して除去することができるために、
蓋材２０を中央の剥離部分２まで剥がして外側に折曲げて、カップ容器３０を途中まで開蓋して熱湯を注ぐ時に、折曲げた蓋材２０の剥離部分２を確実に除去した部分の、残された遮光層５と樹脂フィルム層６とイージーピール層７とが、スチームアイロンを掛けたように延びることがなくて、カップ容器３０が閉蓋して熱湯を注ぎ難いなどの問題がない、また蓋材２０のつまみ部分２１をフランジ３１に繋止して、カップ容器３０を閉蓋して３〜５分間放置して調理する時に、一旦折曲げた蓋材２０の剥離部分２を確実に除去した部分の、残された遮光層５と樹脂フィルム層６とイージーピール層７とが、再び外側に折曲がることがなくて、カップ容器３０が開蓋して充分に調理することが難しいなどの問題がない、熱湯から発生する蒸気の影響を受けないイージーピール蓋材を得ることができた。
【００１７】
【発明の効果】
以上、実施の形態ほかに示すとおり、本発明のイージーピール蓋材においては、熱湯を注いで調理するカップラーメン用などの、アルミニウム箔を積層していない、従来と同様に開蓋が容易であって、熱湯を注ぐ時に、カップ容器３０が閉蓋して熱湯を注ぎ難いなどの問題がない、また３〜５分間放置して調理する時に、カップ容器３０が開蓋して充分に調理することが難しいなどの問題がない、熱湯から発生する蒸気の影響を受けないイージーピール蓋材を提供することができる。
【図面の簡単な説明】
【図１】本発明の実施の形態における、図１Ａ,Ｂは、イージーピール蓋材の断面図であって、図１Ｃは、イージーピール蓋材の平面図である。
【図２】本発明の実施の形態における、イージーピール蓋材を、カップ容器３０に被せて熱融着した状態を示す断面説明図である。
【符号の説明】
２    …剥離部分
３    …剥離層、接着阻害剤
４    …紙材料層
５    …遮光層
６    …樹脂フィルム層
７    …イージーピール層
２０  …蓋材
２１  …つまみ、つまみ部分
３０  …カップ容器
３１  …フランジ
ａ    …切れ目線
【図１】
0004604321.tif 000002
【図２】
0004604321.tif 000003